(57)【要約】【課題】  内部のちり紙を取り出すためにガゼット袋を一部破断したとき、破断した箇所から内部に塵埃や湿気が入り込んでも、内部に充填されているちり紙には全くその害が及ばないちり紙の包装体を提供する。【解決手段】  一単位となる、重ねた所定の枚数のちり紙の束１００を、袋２に包装する。該袋２に包装したちり紙の束１００を、複数まとめてプラスチックフィルムからなるガゼット袋１０３に充填包装する。袋２はプラスチックフィルムからなるガゼット袋であり、その上面側の中央部には取り出し口形成用ミシン目線を設けている。【選択図】  図１
0003213780.tif 000002
【実用新案登録請求の範囲】
【請求項１】
一単位となる、重ねた所定の枚数のちり紙の束を袋に包装し、該袋に包装したちり紙の束を、複数まとめてプラスチックフィルムからなるガゼット袋に充填包装してなることを特徴とするちり紙の包装体。
【請求項２】
一単位のちり紙の束を包装する袋が、プラスチックフィルムからなるガゼット袋である請求項１記載のちり紙の包装体。
【請求項３】
一単位のちり紙の束を包装する袋の上面側の中央部に、取り出し口形成用ミシン目線を設けてなる請求項１又は２記載のちり紙の包装体。
【考案の詳細な説明】
【技術分野】
【０００１】
本考案は、一単位となる、重ねた所定の枚数のちり紙の束を、プラスチックフィルムからなるガゼット袋に充填包装してなるちり紙の包装体に関するものである。
【背景技術】
【０００２】
ちり紙は、図７に示す如く、重ねた所定の枚数（１，０００枚程度）毎に帯紙で束ねて一単位とし、これを複数まとめて図８に示す如きプラスチックフィルムからなるガゼット袋に充填包装し、この包装体の状態において出荷、販売されている。尚、図７において１００は束ねた一単位のちり紙、１０１はちり紙の束、１０２は帯紙である。
【０００３】
そしてまた、斯かる従来のちり紙の包装体は、上記の通り、図８に示す如き、取っ手１０３Ａを有する、プラスチックフィルムからなるガゼット袋１０３を製作し、図９及び図１０に示す如く、該ガゼット袋１０３の下部を開いて上記一単位のちり紙１００を複数重ねて充填した後、最後に図１１に示す如く、ガゼット袋１０３の下部を閉じてヒートシールしてなるものである。尚、図８乃至図１１において、Ｇはガゼット袋１０３のガゼット部、Ｓはヒートシールした部分を示す。
【０００４】
ところで、従来の斯かるちり紙の包装体には、次の如き問題点がある。先ず第１の問題点は、ガゼット袋１０３内に充填包装された一単位のちり紙の束１００の夫々は、カバーされることなく、そのままの状態であることから、購入者が内部のちり紙を取り出すためにガゼット袋１０３の一部を破断した際、その破断した箇所から袋の内部に塵埃や湿気が入り込んだときにおいて、内部に包装されたちり紙の全てにこれらによる害が及ぶことになるという点である。
【０００５】
次に第２の問題点は、図９に示す如く、一単位のちり紙の束１００の複数をまとめてガゼット袋１０３に充填するときにおいて、束ねたちり紙の角の部分がガゼット袋の開口に引っ掛かったり、捲れたりしてスムーズに入れることができないという点である。
【考案の概要】
【考案が解決しようとする課題】
【０００６】
本考案は上記の点に鑑みなされたものであって、一単位のちり紙の束を袋に包装し、この状態において複数まとめてガゼット袋に充填包装することにより、内部のちり紙を取り出すためにガゼット袋を一部破断したときにおいて、破断した箇所から内部に塵埃や湿気が入り込んだとしても、内部に包装されているちり紙は全て夫々袋内に密封されていることにより、これらによる害が及ぶことがなく、また、一単位のちり紙の束の複数をまとめてガゼット袋に充填するときにおいて、各ちり紙の周囲全体が袋によって覆われていることにより、ちり紙の角の部分がガゼット袋の開口に引っ掛かったり、捲れたりすることがなく、もってスムーズに入れることができるようになしたちり紙の包装体を提供しようとするものである。
【課題を解決するための手段】
【０００７】
而して、本考案の要旨とするところは、一単位となる、重ねた所定の枚数のちり紙の束を袋に包装し、該袋に包装したちり紙の束を、複数まとめてプラスチックフィルムからなるガゼット袋に充填包装してなることを特徴とするちり紙の包装体にある。
【０００８】
また、上記構成において、一単位のちり紙の束を包装する袋は、プラスチックフィルムからなるガゼット袋であることが好ましい。
【０００９】
また、上記構成において、一単位のちり紙の束を包装する袋の上面側の中央部に、取り出し口形成用ミシン目線を設けておくことが好ましい。
【考案の効果】
【００１０】
本考案は上記の如き構成であり、一単位のちり紙の束を袋に包装し、この状態において複数まとめてガゼット袋に充填包装したものである。したがって、内部のちり紙を取り出すためにガゼット袋を一部破断したときにおいて、破断した箇所から内部に塵埃や湿気が入り込んだとしても、内部に包装されているちり紙は全て夫々袋内に密封されていることにより、これらによる害が及ぶことがないものである。
【００１１】
また、一単位のちり紙の束の複数をガゼット袋に充填するときにおいて、ちり紙の周囲全体は袋によって覆われていることにより、ちり紙の角の部分がガゼット袋の開口に引っ掛かったり、捲れたりすることがなく、もってスムーズに入れることができるようになるものである。
【００１２】
また、一単位のちり紙の束を包装する袋が、プラスチックフィルムからなるガゼット袋である場合には、塵埃や湿気の袋内への侵入を完全に遮断することができるものである。また、プラスチックフィルムは表面が滑り易いことから、ガゼット袋への充填作業をスムーズに行うことができるものである。
【００１３】
また、一単位のちり紙の束を包装する袋の上面側の中央部に、取り出し口形成用ミシン目線を設けた場合には、該取り出し口形成用ミシン目線に沿って切り取ることによって容易に取り出し口を作ることができるものである。そしてまた、取り出し口からちり紙を摘んで取り出すことにより、内部に束ねられたちり紙を上側のものから順序よく取り出すことができるものである。また、取り出し口は小さく、内部のちり紙の束は全体が袋で覆われていることから、取り出し口を作った状態で静置しておいても内部のちり紙が塵埃で汚染されたり湿気を帯びたりすることがなく、また風圧で飛散することもないものである。
【図面の簡単な説明】
【００１４】
【図１】本考案の実施形態に係るちり紙の包装体の斜視図である。
【図２】同一単位のちり紙の束の斜視図である。
【図３】同製造工程の説明図であり、ガゼット袋の下部を開いて一単位のちり紙の束を複数まとめて充填する状態を示すものである。
【図４】同製造工程の説明図であり、ガゼット袋に一単位のちり紙の束を複数まとめて充填した状態を示すものである。
【図５】同製造工程の説明図であり、ガゼット袋の下部を閉じてヒートシールした状態を示すものである。
【図６】同袋に取り出し口を作った状態の一単位のちり紙の束の斜視図である。
【図７】従来の一単位のちり紙の束の斜視図である。
【図８】従来のちり紙の包装体におけるガゼット袋の斜視図である。
【図９】従来のちり紙の包装体の製造工程の説明図であり、ガゼット袋に一単位のちり紙の束を複数まとめて充填する状態を示すものである。
【図１０】従来のちり紙の包装体の製造工程の説明図であり、ガゼット袋に一単位のちり紙の束を複数まとめて充填した状態を示すものである。
【図１１】従来のちり紙の包装体の製造工程の説明図であり、ガゼット袋に一単位のちり紙の束を複数まとめて充填し、ガゼット袋の下部を閉じてヒートシールした状態を示すものである。
【考案を実施するための形態】
【００１５】
以下、本考案を実施するための形態について、図面を参照して説明する。
【００１６】
図中、１は本考案の実施形態に係るちり紙の包装体である。また、該ちり紙の包装体１は、一単位となる、重ねた所定の枚数（１，０００枚程度）のちり紙の束１００を袋２に包装し、該袋２に包装したちり紙の束１００を、複数（本実施形態においては４束）まとめてプラスチックフィルムからなるガゼット袋１０３に充填包装してなるものである。
【００１７】
尚、前記一単位となる、重ねた所定の枚数のちり紙の束１００は、前記図７に示した通りの一単位のちり紙の束であり、また、ガゼット袋１０３は、前記図８に示したガゼット袋と同じものである。
【００１８】
また、前記一単位のちり紙の束１００を包装する袋２は、図２に示す如く、本実施形態においては、取っ手１０３Ａのないことを除いて前記ガゼット袋１０３と同じ構成のプラスチックフィルムからなるガゼット袋を用いている。尚、図２においてＧはガゼット袋２のガゼット部、Ｓはヒートシールした部分を示す。また、該ガゼット袋２に一単位のちり紙の束１００を充填包装する工程は、前記図９乃至図１１に示した工程と同様である。
【００１９】
更にまた、該袋２として用いるガゼット袋には、その上面側の中央部に、取り出し口形成用ミシン目線３を設けている。
【００２０】
そして、前記の袋２に包装した一単位のちり紙の束１００を、複数まとめてガゼット袋１０３に充填包装する工程は、前記図９乃至図１１に示した工程と同様であるから、同一の部材には同一の符号を付して詳細な説明は省略する。
【００２１】
そして、本考案は図１に示す形態において出荷、販売されるものである。また、内部のちり紙を取り出すときには、ガゼット袋１０３の上部の一部を破断して取り出すものである。
【００２２】
本実施形態は、上記の如き構成であり、一単位のちり紙の束１００を袋２に包装し、この状態において複数まとめてガゼット袋１０３に充填包装したものである。したがって、内部のちり紙を取り出すためにガゼット袋１０３を一部破断したときにおいて、破断した箇所から内部に塵埃や湿気が入り込んだとしても、内部に包装されているちり紙は全て夫々袋２内に密封されていることにより、これらによる害が及ぶことがないものである。
【００２３】
また、一単位のちり紙の束１００の複数をガゼット袋１０３に充填するときにおいて、ちり紙の周囲全体は袋２によって覆われていることにより、ちり紙の角の部分がガゼット袋１０３の開口に引っ掛かったり、捲れたりすることがなく、もってスムーズに入れることができるようになるものである。
【００２４】
また、一単位のちり紙の束１００を包装する袋２が、プラスチックフィルムからなるガゼット袋である場合には、塵埃や湿気の袋２内への侵入を完全に遮断することができるものである。また、プラスチックフィルムは表面が滑り易いことから、ガゼット袋１０３への充填作業をスムーズに行うことができるものである。
【００２５】
また、一単位のちり紙の束１００を包装する袋２の上面側の中央部に、取り出し口形成用ミシン目線３を設けた場合には、図６に示す如く、該取り出し口形成用ミシン目線３に沿って切り取ることによって容易に取り出し口を作ることができるものである。そしてまた、取り出し口からちり紙を摘んで取り出すことにより、内部に束ねられたちり紙を上側のものから順序よく取り出すことができるものである。また、取り出し口は小さく、内部のちり紙の束は全体が袋２で覆われていることから、取り出し口を作った状態で静置しておいても内部のちり紙が塵埃で汚染されたり湿気を帯びたりすることがなく、また風圧で飛散することもないものである。
【符号の説明】
【００２６】
１  ちり紙の包装体
２  袋
３  取り出し口形成用ミシン目線
１００  一単位のちり紙の束
１０３  ガゼット袋
【図１】
0003213780.tif 000003
【図２】
0003213780.tif 000004
【図３】
0003213780.tif 000005
【図４】
0003213780.tif 000006
【図５】
0003213780.tif 000007
【図６】
0003213780.tif 000008
【図７】
0003213780.tif 000009
【図８】
0003213780.tif 000010
【図９】
0003213780.tif 000011
【図１０】
0003213780.tif 000012
【図１１】
0003213780.tif 000013